(57)【要約】      （修正有）【課題】年配の女性でも気兼ねなく容易でおしゃれに着用できるカバーアクセサリースカートの提供。  【解決手段】スラックスの上にフワッと乗せるように着用する、右足側あるいは左足側を、上から下まで、重なる部分が２，３ｃｍ程度の、カバーアクセサリースカート。【選択図】図１
2005344216.tif 000002
【特許請求の範囲】
【請求項１】
スラックスの上に着用する、右足側あるいは左足側の、上から下までの、重なる部分が２，３ｃｍ程度の、カバーアクセサリースカート。重なる部分は、数個のスナップか、数個のマジックテープ等を用いて止める。人前でも手軽に着脱できるよう、従来の巻きスカートのように、１枚布になるよう、仕上げる。
【請求項２】
スラックスが目立たないように、スラックスがほとんど見えないか、ほんの少し見える程度のロング丈にする。丈が長すぎて、スカートを自分の足で踏んで、転んでしまうことがないよう、長くしすぎないように気をつける。スラックスのポケット口にあたる部分は、手が差し込めるよう、縫い合わせないようにする。色は、下に履くスラックスと同系色で、スラックスよりやや明るいトーンが望ましい。布地は、スラックスと似たような布地を用いる事が望ましい。
【発明の詳細な説明】
【技術分野】
【０００１】  オーバースカートに関する
【技術背景】
【０００２】  従来のロングスカートは、保温用であったり、スカート丈と同程度の長さの、雨よけ用のオーバースカートであった。しかし、今回提案するカバーアクセサリースカートは、あくまでもおしゃれが主目的であり、前述の保温用や、雨よけのオーバースカートとは使用目的が異なる。また、最近、若者の間で流行しているスカパンなるものは、スカート１に対して、スラックス１程度の同等の存在感がある。それに対し、このカバーアクセサリースカートは、下にはくスラックスがほとんど見えないか、スラックスが目立たないように丈を長くしたものである。しかもスカパンは、スカートは、スカートだけでも着用できるのに対し、このアクセサリーカバースカートは、スラックスをほとんど隠しながらも、このスラックスの上にフワッとのせるように着用し、手軽に脱ぎ着出来るよう、左足側あるいは右足側を数個のスナップ、または数個のマジックテープ等で止めるため下にスラックスを履かないで、着用することはできない。従って、このカバーアクセサリースカートは、現在流行しているスカパンのスカートとも異なる。
特願  平５−１７９７４７
特願  平５−１７９７４８
【課題】
【０００３】  以前はスカートを履く女性が主流だったが、パンティストッキングを履くのが面倒で、時間がかかるのに比べ、スラックスは手軽にはける。また、スカートに比べ、スラックスのほうが、より活動的である。そのため、近頃の普段着は、スラックスのほうが、主流になってきている。スラックスは手軽に履け、機能的だが、優雅さという点においては、スラックスにもよるが、比較的味気ないものが多い。この頃流行っているスカパンなるものは、存在感が、およそスカート１に対し、スラックス１である。しかし、このスカパンなるものは、斬新すぎて年配の女性が履くのは、なかなか難しい。
【問題を解決するための手段】
【０００４】  スラックスの上にフワッと乗せるように着用する、右足側あるいは左足側を、上から下まで、重なる部分が２，３ｃｍ程度の、ちょっとしたおしゃれな、カバーアクセサリースカートを考えた。
【０００５】  このカバーアクセサリースカートは、スラックスが目立たないように、ロング丈にし、スラックスがほとんど見えないか、ほんの少し見える程度の長さにする。丈が長すぎて、スカートを自分の足で踏んで、転んでしまうことがないよう、長くしすぎないように気をつける。
【０００６】カバーアクセサリースカートの、右足側あるいは左足側の重なる部分は、布が何かに挟まれて、事故が起こりそうなときすぐとりはずせるよう、数個のスナップか、数個のマジックテープ等を用いて止める。
【０００７】  人前でも手軽に着脱できるよう、普通のスカートのように円筒形でなく、従来の巻きスカートのように、１枚布になるよう、仕上げる。
【０００８】  スラックスのポケット口にあたる部分は、手が差し込めるよう、縫い合わせないようにする。スナップ止め、あるいはマジックテープ止めする側も、スラックスのポケット口にあたる部分は、スナップやマジックテープ等をつけないで、スムーズに手を出し入れできるようにする。
【０００９】  このカバーアクセサリースカートの色は、下に履くスラックスと同系色で、スラックスよりやや明るいトーンが望ましく、布地は、スラックスと似たようなものを用いるのが望ましい。
【発明の効果】
【００１０】  スラックスの上に履くので、ストッキングは履かなくて良く、面倒でない。
【００１１】  近くのスーパーマーケット等に出かけるとき、このスラックスの上に着用する、カバーアクセサリースカートを着用すると、少しおしゃれな雰囲気にもなる。
【００１２】  下にスラックスを履いている時、スラックスを履き替えずに、上にこのカバーアクセサリースカートを着用するだけで、手軽に、外出することができる。
【００１３】  温かい布を使用した場合は、冬、保温着にもなる。
【００１４】  一枚布になるように仕上げるので、ひざ掛けとしても使える。
【図面の簡単な説明】
【図１】スラックスの上に、この、スラックスの上に着用する、カバーアクセサリースカートを着用した図。
【図２】スラックスの上に着用する、カバーアクセサリースカート
【図３】スラックスの上に着用する、カバーアクセサリースカートの、右脇あるいは左脇の、手の差し込み口を描いた図
【図４】スラックスの上に着用する、カバーアクセサリースカートの、右足側あるいは左足側の、スナップ止め、または、マジックテープ止めの様子。
【符号の説明】
１．    スナップ等
２．    マジックテープ等
３．    手の差し込み口
【図１】
2005344216.tif 000003
【図２】
2005344216.tif 000004
【図３】
2005344216.tif 000005
【図４】
2005344216.tif 000006
【手続補正書】
【提出日】平成16年9月21日(2004.9.21)
【手続補正１】
【補正対象書類名】特許請求の範囲
【補正対象項目名】請求項１
【補正方法】変更
【補正の内容】
【請求項１】
スラックスの上に着用する、カバーアクセサリースカート。人前でも手軽に着脱できるよう、１枚布になるように仕上げ、右足体側あるいは左足体側で、重ねあわせる。重ねる箇所は、右足体側あるいは左足体側以外の箇所でも良い。重ねる幅は２，３ｃｍ程度でもよい。重ねる箇所は、数個のスナップか、数個のマジックテープ等を用いて止める。
【手続補正２】
【補正対象書類名】特許請求の範囲
【補正対象項目名】請求項２
【補正方法】変更
【補正の内容】
【請求項２】
スラックスが目立たないように、スラックスがほとんど見えないか、ほんの少し見える程度のロング丈にする。丈が長すぎて、スカートを自分の足で踏んで、転んでしまうことがないよう、長くしすぎないように気をつける。スカートの上から、スラックスのポケットに手が差し込めるよう、ポケット口にあたる部分は、縫い合わせない筒所を設ける。
【手続補正３】
【補正対象書類名】明細書
【補正対象項目名】０００４
【補正方法】変更
【補正の内容】
【０００４】スラックスの上にフワッと乗せるように着用する、ちょっとしたおしゃれな、カバーアクセサリースカートを考えた。右足体側あるいは左足体側の、上から下まで重ねる箇所の幅が２，３ｃｍ程度の、  カバーアクセサリースカート。上から下まで重ねる箇所は、右足体側あるいは左足体側以外の箇所でも良い。
【手続補正４】
【補正対象書類名】明細書
【補正対象項目名】００１２
【補正方法】変更
【補正の内容】
【００１２】スラックスを履いている時、外出用のスラックスに履き替えずに、このカバーアクセサリースカートを上に着用するだけで、手軽に、買い物等に出かけることができる。